(57)【要約】【課題】ゴルフバッグ内でのゴルフクラブの保持状態を高めることにより、移動の際、クラブが傷付いたりバッグ内を損傷したりすることを防ぐと共に、クラブの種類による管理や出し入れを簡便化することができるゴルフクラブ用保持具を提供する。【解決手段】ゴルフバッグ内に装着され、ゴルフクラブを種類別に保持するゴルフクラブ用保持具において、階段状に傾斜して形成された保持体３と、該保持体３の側辺４に設置された複数のシャフト保持部５とからなる保持具本体２と、該保持具本体２をゴルフバッグ内に装着する連結基台１０とを備える。【選択図】図１
2008086647.tif 000002
【特許請求の範囲】
【請求項１】
ゴルフバッグ内に装着され、ゴルフクラブを種類別に保持するゴルフクラブ用保持具において、階段状に傾斜して形成された保持体と、該保持体の側辺に設置された複数のシャフト保持部とからなる保持具本体と、該保持具本体をゴルフバッグ内に装着する連結基台とを備えることを特徴とするゴルフクラブ用保持具。
【請求項２】
前記連結基台が、板状に形成された基台本体と、該基台本体の上面に形成された、前記保持体の形状に適合する形状を有する上面部と、該基台本体をゴルフクラブ内に装着する連結具とを備える請求項１記載のゴルフクラブ用保持具。
【請求項３】
前記保持具本体をゴルフクラブ別に単体として個別に形成し、該保持具本体を連結基台の上面部に個別に着脱自在にて装着した請求項１または２項記載のゴルフクラブ用保持具。
【請求項４】
前記保持具と連結基台とを一体的に形成した請求項１または２記載のゴルフクラブ用保持具。
【請求項５】
前記保持具を、ゴルフバッグ内に少なくとも一体以上装着する請求項１乃至４のうちいずれか１項記載のゴルフクラブ用保持具。
【発明の詳細な説明】
【技術分野】
【０００１】
本発明は、ゴルフバッグ内に収容されるゴルフクラブの安定性を高めると共に、クラブの出し入れを容易に行うことを可能にするゴルフクラブ用保持具に関する。
【背景技術】
【０００２】
一般的に、ウッド、アイアン、パター等からなる複数のゴルフクラブは、上部に開口部を有する筒状のゴルフバッグ内に収容されている。通常、ゴルフバッグの内部には、クラブの種別管理や衝突回避のため、バッグ内を二等分もしくは三等分に区分けする仕切材が設置されている。
【０００３】
しかし、仕切材にて区分けられた各室にクラブを収容させた場合、クラブ間に多少のスペースが生じるため、ゴルフバッグを移動する際、クラブ同士が接触して傷付いたり、クラブによりバッグの内壁を損傷したりするといった問題が発生した。
【０００４】
かかる問題を回避するために、ゴルフバッグが倒れてもゴルフクラブのヘッドがゴルフバッグを構成する布或いは皮等に衝撃を与えないようにするためのゴルフクラブ支持具が提案されている（例えば、特許文献１参照）。
【０００５】
特許文献１記載のゴルフクラブ支持具は、硬質ゴム或いは弾性を持つ樹脂材によって形成され、断面が長方形となる枠体と、この枠体の長辺部の外周に一体成形されて突設された複数のシャフト係止片と、枠体の短辺部分の外側に突設した幅調整片とによって構成されている。
【０００６】
また、ゴルフバッグの上端に多数のクラブ出入孔とヘッドシールドを設置し、ゴルフクラブを順番に配置することで、競技中に所望ゴルフクラブを捜しやすくし、シャフトとヘッドの衝突を避けてゴルフクラブの損傷を防止するためのゴルフバッグも提案されている（例えば、特許文献２参照）。
【０００７】
特許文献２記載のゴルフバッグは、バッグ本体の上端を四角形の上板部の外周に形成された溝部に嵌め込み公知の方法で結合し、上板部の正面には、アイアンクラブ３番から７番まで順次配置し得るよう、内部にクラブ出入孔が形成されたＵ字形ヘッドシールドを対応クラブの長さに合せて連設し、上板部の背面には、アイアンクラブ８番及び９番、ピッチングウェッジ、サンドウェッジ及びパターを順次配置し得るよう、内部にクラブ出入孔が形成されたＵ字形ヘッドシールドを対応クラブの長さに合せて連設し、サンドウェッジとパターのクラブ出入孔を一つに拡張し、パターの配置される位置の背面にはパターかけを設置し、正面を除く上板部の中央には中央出入孔が形成されている。
【特許文献１】実開平０６−１７７６２公報（第１−２頁、図１）
【特許文献２】特開平１１−１２８４２３公報（第１−２頁、図１）
【発明の開示】
【発明が解決しようとする課題】
【０００８】
しかしながら、これまでに提案されているゴルフクラブ支持具は全ての問題を解消し得るものではなかった。例えば、特許文献１のゴルフクラブ支持具においては、シャフト係止片が水平状態に一体化されているため、シャフトの長さが異なるゴルフクラブの管理に不都合が生じ、またプレー中のクラブの出し入れが困難になるという問題があった。
【０００９】
また、特許文献２のゴルフバッグにおいては、対応クラブの長さに合せて連設したヘッドシールドが開示されているが、クラブのシャフト自体が保持されていないため、カートにてゴルフバッグを移動させる際、ヘッドシールド内でクラブが微妙に移動し、雑音が発生する等といった問題があった。
【００１０】
そこで、本発明の目的は、ゴルフバッグ内でのゴルフクラブの保持状態を高めることにより、移動の際、クラブが傷付いたりバッグ内を損傷したりすることを防ぐと共に、クラブの種類による管理や出し入れを簡便化することができるゴルフクラブ用保持具を提供することにある。
【課題を解決するための手段】
【００１１】
上記課題を解決するために、本発明のゴルフクラブ用保持具は、ゴルフバッグ内に装着され、ゴルフクラブを種類別に保持するゴルフクラブ用保持具において、階段状に傾斜して形成された保持体と、該保持体の側辺に設置された複数のシャフト保持部とからなる保持具本体と、該保持具本体をゴルフバッグ内に装着する連結基台とを備えることを特徴とするものである。
【００１２】
また、本発明のゴルフクラブ用保持具においては、前記連結基台は、板状に形成された基台本体と、該基台本体の上面に形成された、前記保持体の形状に適合する形状を有する上面部と、該基台本体をゴルフクラブ内に装着する連結具とを好適に備えることができる。
【００１３】
また、前記保持具本体をゴルフクラブ別に単体として個別に形成し、該保持具本体を連結基台の上面部に個別に着脱自在にて装着したものとすることができる。
【００１４】
さらに、前記保持具と連結基台とを一体的に形成してもよく、さらには前記保持具を、ゴルフバッグ内に少なくとも一体以上装着することが望ましい。
【発明の効果】
【００１５】
本発明によれば、クラブのシャフトの保持状態を高めることができ、移動の際、クラブが傷付いたりバッグ内を損傷したりするといったことがない。また、保持体が階段状に傾斜されているため、長さの異なるクラブの管理や出し入れを容易に行うことができる。
【発明を実施するための最良の形態】
【００１６】
本発明のゴルフクラブ用保持具における一実施の形態を図面を参照して以下に具体的に説明する。
【００１７】
図１に示す保持具１は、階段状に傾斜して形成された保持体３と、該保持体３の側辺４に設置された複数のシャフト保持部５とからなる保持具本体２と、かかる保持具本体２をゴルフバッグ内に装着する連結基台１０とで構成されている。
【００１８】
保持具本体２の保持体３は、加工が容易で低コストに製造できる合成樹脂素材とすることが好ましく、階段状に、且つ、多段階に傾斜した状態で形成されている。図示する保持体３は、例えば、３番アイアンから８番アイアン等のシャフトの長いゴルフクラブを６本保持できるように６段階に形成されている。なお、保持体３は、ゴルフクラブのシャフト長さの違いに応じて適宜傾斜させて形成することが望ましい。
【００１９】
また、保持体３の夫々の側辺４には、ゴルフクラブのシャフトを保持するシャフト保持部５が設置されている。シャフト保持部５はＣ字形状を呈しており、先方には挿脱用の開口部６が設けられている。また、シャフト保持部５は、弾性変形可能な合成樹脂素材にて形成することが好ましい。かかるシャフト保持部５は、図中、前記保持体３の手前側に設置されているが、これに限らず保持体３の後方側に設置してもよい。また、保持体３の両端部および中央部には、連結基台１０と固定するネジ８を螺合するネジ孔７が形成されている。さらに、保持体３の夫々の上面には、保持収納するゴルフクラブの番号を記載したシール材９が設置されている。
【００２０】
連結基台１０は、保持具本体２をゴルフバッグ３０に装着するもので、板状の基台本体１１と、基台本体１１の上面に形成された、保持体３の形状に適合する形状を有する上面部１２と、連結基台１０をゴルフバッグ３０の開口部３１付近に装着する連結具１３とで構成されている。また、連結具１３には、連結基台１０をゴルフバッグ３０に連結するネジ１５を螺入する長孔１４が設けられている。連結具１３を備えることで、図７に示すように、連結基台１０を外部からネジ１５で固定することができる。さらに、連結基台１０の上面部１２の両端には、ネジ８を螺合させるネジ孔１６が、また上面部１２の背部には係止材１７が設けられている。なお、連結基台１０は、ゴルフバッグ３０内に備えられている仕切板３２上に係止した状態で固定することが望ましい。これにより、連結基台１０の安定性をより一層高めることができる。
【００２１】
上述した本発明の保持具１により、図５に示すように、保持具本体２にゴルフクラブ２０、例えば、３番アイアンから８番アイアン等のシャフト２１の長い６本のゴルフクラブ２０を、長さの違いに応じて効率よく保持することができる。また、移動の際、ゴルフクラブ２０同士が接触により傷付いたり、ゴルフクラブ２０によりゴルフバッグ３０の内壁を損傷したりするといったこともない。さらに、保持体３が階段状に傾斜されているため、長さの異なるクラブの管理や出し入れを容易に行うことも可能になる。
【００２２】
また、本発明の他の好適例として、図２に示すように、保持具本体２ａをゴルフクラブ別に単体として個別に形成し、該保持具本体２ａを連結基台１０の上面部１２に個別に着脱自在にて装着してもよい。この際、上面部１２にＬ字状の係止材１８を形成することで、単体状の保持具２ａの設置状態を高めることができる。単体状とした保持具本体２ａを、連結基台１０上面部１２の夫々の段部にネジ８にて着脱自在に装着することで、例えば、シャフトの太さの異なるゴルフクラブにおいても、保持具本体２ａの付け替えにより容易に対応することができる。
【００２３】
更に、本発明の他の好適例として、図３に示すように、保持具本体２と連結基台１０とを一体的に形成してもよい。この際、保持具本体２と連結基台１０とを同一素材の合成樹脂にて形成することで、製造工程やコストが削減できると共に、ゴルフバッグへの装着も容易になる。
【００２４】
また、本発明のゴルフクラブ用保持具においては、図４に示すように、保持具本体２および連結基台１０の上面部１２を水平状に形成してもよい。この形状は、シャフトの短いクラブ、例えば、サンドウェッジやピッチングウェッジ等を保持したり出し入れしたりする際の利便性に優れている。
【００２５】
本発明の保持具１は、ゴルフバッグ３０内に少なくとも一体以上装着することが望ましい。この際、図７に示すように、階段状に形成した保持具本体２からなる保持具１を後方に設置し、保持具本体２を平面状とした保持具１ａを前方に設置することで段差が生じ、長尺ゴルフクラブ２０と短尺ゴルフクラブ２０ａとの種類別管理が容易となり、使用勝手や利便性が一層向上する。
【００２６】
次に、本発明のゴルフクラブ用保持具における使用方法を説明する。
図５においては、階段状に形成された保持具１にゴルフクラブ２０、例えば、シャフト２１の長い３番アイアンから８番アイアン等の６本のゴルフクラブ２０を、長い順に左方向から順に保持させた状態を示す。この場合、シャフト２１の長さに応じて保持具１が階段状に傾斜しているため、夫々のゴルフクラブ２０に対し高い保持性が得られる。また、ゴルフクラブ２０の長さの違いにより、クラブの選択や出し入れが容易になる。
【００２７】
図６においては、保持具本体２を水平状に形成した保持具１ａに、シャフトの長さの短いゴルフクラブ２０ａ、例えば、サンドウェッジやピッチングウェッジ等を４本保持させた状態を示す。この際、図７に示すように、保持具１ａを保持具１の前方に配設することで、前方のゴルフクラブ２０ａと後方のゴルフクラブ２０に段差が生じ、クラブの管理や出し入れが容易になる。なお、前方に配設される保持具１ａを階段状に形成してもよい。
【図面の簡単な説明】
【００２８】
【図１】本発明のゴルフクラブ用保持具の全体斜視図である。
【図２】他の構造を示す保持具の全体斜視図である。
【図３】他の構造を示す保持具の全体斜視図である。
【図４】他の構造を示す保持具の全体斜視図である。
【図５】保持具に長尺状のゴルフクラブを保持した正面図である。
【図６】他の構造の保持具に短状のゴルフクラブを保持した正面図である。
【図７】本発明のゴルフクラブ用保持具の使用状態を示す斜視図である。
【符号の説明】
【００２９】
１    保持具
２    保持具本体
３    保持体
４    側辺
５    シャフト保持部
６    開口部
７    ネジ孔
８    ネジ
９    シール材
１０  連結基台
１１  基台本体
１２  上面部
１３  連結具
１４  長孔
１５  ネジ
１６  ネジ孔
１７  係止材
１８  係止材
２０  ゴルフクラブ
２１  シャフト
３０  ゴルフバッグ
３１  開口部
３２  仕切板
【図１】
2008086647.tif 000003
【図２】
2008086647.tif 000004
【図３】
2008086647.tif 000005
【図４】
2008086647.tif 000006
【図５】
2008086647.tif 000007
【図６】
2008086647.tif 000008
【図７】
2008086647.tif 000009